(57)【要約】【課題】光ムラのない長い光源を容易に得ることができるＬＥＤユニットおよびＬＥＤユニットを用いた照明器具を提供する。【解決手段】  被設置物１１に取り付けるためのベースプレート２１に、互いに交差する複数の発光面部２２ａ、２２ｂを有する放熱板２２を取り付けたので、発光面部２２ａ、２２ｂは複数の方向に向く。この発光面部２２ａ、２２ｂに、ＬＥＤチップ３０を実装したＬＥＤ基板３１を直線状に配設したので、光ムラのない長い光源を容易に得られる。【選択図】図１
2011175785.tif 000002
【特許請求の範囲】
【請求項１】
被設置物に取り付けるためのベースプレートと、このベースプレートに設けられ互いに交差する複数の発光面部を有する放熱板と、を有し、
前記各発光面部に、ＬＥＤチップを実装した複数のＬＥＤ基板を直線状に配設したＬＥＤユニット。
【請求項２】
請求項１に記載のＬＥＤユニットにおいて、
前記ＬＥＤチップを実装した前記ＬＥＤ基板を取り付ける絶縁板を設け、
隣接する前記発光面部の境界に前記絶縁板を取り付ける取付面を設けたＬＥＤユニット。
【請求項３】
請求項２に記載のＬＥＤユニットにおいて、
前記ＬＥＤチップおよび前記ＬＥＤ基板を実装した前記絶縁板を、前記放熱板に千鳥状に配置したＬＥＤユニット。
【請求項４】
請求項１ないし請求項３のいずれかに記載のＬＥＤユニットと、このＬＥＤユニットを取り付ける器具本体を有する照明器具。
【発明の詳細な説明】
【技術分野】
【０００１】
本発明は、光源としてＬＥＤを用い複数の方向に照射できるＬＥＤユニットおよびこのＬＥＤユニットを用いた照明器具に関するものである。
【背景技術】
【０００２】
従来より、ＬＥＤを用いて複数方向に照射するＬＥＤユニットがある（例えば特許文献１参照）。
以下、図７により、特許文献１に記載のＬＥＤユニット１００について説明する。このＬＥＤユニット１００は、略正方形の断面を有する四角錐体状のベース１０１を有し、ベース１０１には、上面１０２と、４個の側面１０３を有する。これら上面１０２および４個の側面１０３の５面には、ＬＥＤ素子１０４がそれぞれ実装されており、ＬＥＤ素子１０４はモールド部材（図示省略）で覆われている。
従って、ＬＥＤユニット１００は、上面１０２は前方（図７中上方）と、その周囲の上下左右の、合計５方向へ光を照射できる。
【先行技術文献】
【特許文献】
【０００３】
【特許文献１】特開２００８−４４１５号公報（第１図）
【発明の概要】
【発明が解決しようとする課題】
【０００４】
しかしながら、前述したような従来のＬＥＤユニットは、前方および周囲に光を照射する言わば点状の光源であるので、細長いエリアに光を照射するには多数のＬＥＤユニットを直線状に配置する必要があり、施工が面倒であるという問題があった。また、光ムラが生じるため、取付ピッチに制限がある。
【０００５】
本発明は、従来の問題を解決するためになされたもので、光ムラのない長い光源を容易に得ることができるＬＥＤユニットおよびＬＥＤユニットを用いた照明器具を提供することを目的とする。
【課題を解決するための手段】
【０００６】
本発明のＬＥＤユニットは、被設置物に取り付けるためのベースプレートと、このベースプレートに設けられ互いに交差する複数の発光面部を有する放熱板と、を有し、各発光面部に、ＬＥＤチップを実装した複数のＬＥＤ基板を直線状に配設したものである。
【０００７】
また、本発明のＬＥＤユニットは、ＬＥＤチップを実装したＬＥＤ基板を取り付ける絶縁板を設け、隣接する発光面部の境界に絶縁板を取り付ける取付面を設けたものである。
【０００８】
さらに、本発明のＬＥＤユニットは、ＬＥＤチップおよびＬＥＤ基板を実装した絶縁板を、放熱板に千鳥状に配置したものである。
【０００９】
さらに、本発明の照明器具は、本発明に係るＬＥＤユニットと、このＬＥＤユニットを取り付ける器具本体を有するものである。
【発明の効果】
【００１０】
本発明は、被設置物に取り付けるためのベースプレートに、互いに交差する複数の発光面部を有する放熱板を取り付けたので、発光面部は複数の方向に向く。この発光面部に、ＬＥＤチップを実装したＬＥＤ基板を直線状に配設したので、光ムラのない長い光源を容易に得られる。
【図面の簡単な説明】
【００１１】
【図１】本発明に係る第１実施形態のＬＥＤユニットであり、（Ａ）は斜視図、（Ｂ）は（Ａ）中Ｂ−Ｂ位置の拡大断面図
【図２】本発明に係る第２実施形態の照明器具であり、（Ａ）は平面図，（Ｂ）は側面図
【図３】本発明に係る第３実施形態の照明器具の斜視図
【図４】本発明に係る第４実施形態の照明器具の斜視図
【図５】本発明に係る第５実施形態のＬＥＤユニットの斜視図
【図６】（Ａ）は図５に示したＬＥＤユニットの配光形状を示す平面図、（Ｂ）は一般的な面発光体の配光形状を示す平面図
【図７】従来のＬＥＤユニットの斜視図
【発明を実施するための形態】
【００１２】
（第１実施形態）
以下、本発明の第１実施形態のＬＥＤユニットについて、図面を用いて説明する。
図１に示すように、本発明に係る第１実施形態のＬＥＤユニット２０Ａは、被設置物１１（図２参照）に取り付けるためのベースプレート２１と、互いに交差する複数（ここでは、２個）の発光面部２２ａ、２２ｂを有する放熱板２２を有する。放熱板２２は、熱伝導性が良好な金属で形成するのが望ましい。
【００１３】
放熱板２２は、全体略Ｖ字形状に折り曲げ形成されており、左右（図１において左右）両端部に後述する絶縁板３３を取り付けるための取付面ともなる取付部２２ｃが折り曲げ形成されている。また、隣接する発光面部２２ａ、２２ｂの境界（すなわち、Ｖ字の頂部）にも、絶縁板３３を取り付けるための取付面となる平坦部２２ｄが設けられている。
従って、取付部２２ｃをベースプレート２１に重ね、例えばネジ２３等の締結手段で接合することにより、放熱板２２をベースプレート２１に取り付ける。
【００１４】
放熱板２２の各発光面部２２ａ、２２ｂには、複数（ここでは、例えば３個）の貫通穴２４が直線状に設けられている。発光面部２２ａに設けられている貫通穴２４と、発光面部２２ｂに設けられている貫通穴２４とは、長手方向に交互に配置されて千鳥状となっている。
【００１５】
光源であるＬＥＤチップ３０は、円形のＬＥＤ基板３１に取り付けられ、さらにモールド部材３２で覆われている。このＬＥＤ基板３１は、絶縁板３３に取り付けられる。絶縁板３３は、ＬＥＤ基板３１よりも大径で発光面部２２ａ、２２ｂの幅に相当する大きさの円形の基板取付部３３ａと、この基板取付部３３ａから両方向へ突出する一対の取付片３３ｂ、３３ｂを有する。一対の取付片３３ｂ、３３ｂは、取付部３３ａに対して適宜折り曲げて形成されている。基板取付部３３ａは、中央にＬＥＤ基板３１よりも小径の貫通穴３３ｃを有し、ＬＥＤチップ３０およびモールド部材３２が貫通穴３３ｃから外側へ突出するように、ＬＥＤ基板３１を裏面から取り付ける。
【００１６】
従って、絶縁板３３を発光面部２２ａ、２２ｂに取り付ける際には、絶縁板３３の裏面に取り付けられたＬＥＤ基板３１を発光面部２２ａ、２２ｂの貫通穴２４に収容する。そして、絶縁板３３の基板取付部３３ａの裏面を発光面部２２ａ、２２ｂに当接させ、一対の取付片３３ｂ、３３ｂを、放熱板２２の取付部２２ｃおよび平坦部２２ｄに当接させて、ネジ３４等で接合する。
これにより、ＬＥＤチップ３０が発した熱は、絶縁板３３を介して放熱板２２に伝達されて、放熱される。
【００１７】
以上、説明した本発明に係る実施形態のＬＥＤユニット２０Ａによれば、被設置物１１に取り付けるためのベースプレート２１に、互いに交差する複数の発光面部２２ａ、２２ｂを有する放熱板２２を取り付けたので、発光面部２２ａ、２２ｂは複数の方向に向く。この発光面部２２ａ、２２ｂに、ＬＥＤチップ３０を実装したＬＥＤ基板３１を直線状に配設したので、光ムラのない長い光源を容易に得られる。
【００１８】
また、ＬＥＤチップ３０を実装したＬＥＤ基板３１を取り付ける絶縁板３３を設けたので、絶縁板３３を発光面部２２ａ、２２ｂに取り付けることにより、ＬＥＤチップ３０を実装したＬＥＤ基板３１を容易に取り付けることができる。また、絶縁板３３を取り付けるための取付面となる取付部２２ｃおよび平坦部２２ｄを、隣接する発光面部２２ａ、２２ｂの境界に設けたので、ＬＥＤユニット２０Ａをコンパクト化できる。
【００１９】
さらに、ＬＥＤチップ３０およびＬＥＤ基板３１を実装した絶縁板３３を、放熱板２２の千鳥状に配置された貫通穴２４に取り付けたので、ＬＥＤチップ３０が千鳥状に配置され、ＬＥＤチップ３０が発した熱を効率よく放熱できる。
【００２０】
（第２実施形態）
次に、本発明に係る第２実施形態の照明器具を図２に示す。なお、前述した第１実施形態にかかるＬＥＤユニット２０Ａと共通する部位には同じ符号を付して、重複する説明を省略することとする。
この照明器具１０Ａは前述したＬＥＤユニット２０Ａを用いたものであり、例えば壁等の被設置物１１に器具本体としての取付台１２を取り付けて、３個のＬＥＤユニット２０Ａを上下方向に直線状に配置したものである。なお、水平方向に直線的に設けることもできる。
【００２１】
以上、説明した本発明に係る第２実施形態の照明器具１０Ａによれば、前述したＬＥＤユニット２０Ａを複数個直線的に並べて用いたので、光ムラのない長い光源を容易に得られる。
また、発光面部２２ａ、２２ｂが複数設けられているので、照射範囲Ｒが広くとれ、直管蛍光灯のような使用ができる。
【００２２】
（第３実施形態）
次に、本発明に係る第３実施形態の照明器具を図３に示す。なお、前述した第１実施形態のＬＥＤユニット２０Ａおよび第２実施形態の照明器具１０Ａと共通する部位には同じ符号を付して、重複する説明を省略することとする。
この照明器具１０Ｂは前述したＬＥＤユニット２０Ａを用いたものであり、例えば歩道の路面等に支柱１４を立てて、支柱１４の上端に設けられている透光体１３の内部に、１個のＬＥＤユニット２０Ａを縦方向に収容したものである。
なお、透光体１３の上部は内側に反射面を有する反射部１３ａとなっており、ＬＥＤユニット２０Ａが発した光は、主に下方に向かって照射され、歩道面を照らす。
【００２３】
以上、説明した本発明に係る第３実施形態の照明器具１０Ｂによれば、前述した第２実施形態の照明器具１０Ａと同様の作用・効果が得られる。
【００２４】
（第４実施形態）
次に、本発明に係る第４実施形態の照明器具を図４に示す。なお、前述した第１実施形態乃至第３実施形のＬＥＤユニット２０Ａおよび照明器具１０Ａ、１０Ｂと共通する部位には同じ符号を付して、重複する説明を省略することとする。
この照明器具１０Ｃは前述したＬＥＤユニット２０Ａを用いたものであり、第３実施形態の照明器具１０Ｂにおいて、２個のＬＥＤユニット２０Ａ、２０Ａのベースプレート２１同士を重ねて背中合わせにして用いたものである。
なお、図４に示すように、発光面部２２ａと発光面部２２ｂが交互に位置するように２個のＬＥＤユニット２０Ａを取り付けることにより、全体としてＬＥＤチップ３０が千鳥状に配置される。
【００２５】
以上、説明した本発明に係る第４実施形態の照明器具１０Ｃによれば、前述した第３実施形態の照明器具１０Ｂと同様の作用・効果が得られる。
さらに、照明器具１０Ｃの周囲の全周にわたって照明できる。
【００２６】
（第５実施形態）
次に、本発明に係る第５実施形態のＬＥＤユニット２０Ｂを図５に示す。なお、前述した第１実施形態のＬＥＤユニット２０Ａと共通する部位には同じ符号を付して、重複する説明を省略することとする。
このＬＥＤユニット２０Ｂでは、前述した第１実施形態のＬＥＤユニット２０Ａの放熱板２２に相当する放熱板２５を台形に折り曲げ形成した。従って、放熱板２５は、３面の発光面部２５ａ、２５ｂ、２５ｃを有し、各発光面部２５ａ、２５ｂ、２５ｃにＬＥＤチップ３０を実装した複数のＬＥＤ基板３１を直線状に取り付けた。
【００２７】
なお、例えば、左右の発光面部２５ａ、２５ｃにおけるＬＥＤ基板３１の配置を同じとし、中央の発光面部２５ｂにおけるＬＥＤ基板３１の配置をずらすことにより、全体として千鳥状に配置できる。また、中央の発光面部２５ｂは、第１実施形態のＬＥＤユニット２０Ｂで示した平坦部２２ｄと同様に、絶縁板３３の取付片３３ｂを取り付ける取付面としての役目も果たす。
【００２８】
以上、説明した本発明に係る第５実施形態のＬＥＤユニット２０Ｂによれば、前述した第１実施形態のＬＥＤユニット２０Ａと同様の作用・効果が得られる。
さらに、図６（Ａ）に示すように、中央の発光面部２５ｂが正面を向くので、図６（Ｂ）に示す面発光体２６の場合に比して、ベース面ＢＬ（ベースプレート２１と同一面）より前方を漏れなく明るく照明できる。
【００２９】
なお、本発明のＬＥＤユニットおよびＬＥＤユニットを用いた照明器具は、前述した各実施形態に限定されるものでなく、適宜な変形，改良等が可能である。
【符号の説明】
【００３０】
１０Ａ、１０Ｂ、１０Ｃ  照明器具
１１  被設置物
１２  取付台（器具本体）
１４  支柱（器具本体）
２０Ａ、２０Ｂ  ＬＥＤユニット
２１  ベースプレート
２２、２５  放熱板
２２ａ、２２ｂ  発光面部
２２ｃ  取付部（取付面）
２２ｄ  平坦部（取付面）
２５ａ、２５ｂ、２５ｃ  発光面部
３０  ＬＥＤチップ
３１  ＬＥＤ基板
３３  絶縁板
【図１】
2011175785.tif 000003
【図２】
2011175785.tif 000004
【図３】
2011175785.tif 000005
【図４】
2011175785.tif 000006
【図５】
2011175785.tif 000007
【図６】
2011175785.tif 000008
【図７】
2011175785.tif 000009